(57)【要約】【課題】簡単な回路構成によって受信機の各受信処理系統の出力レベルおよび出力の位相偏差を少なくでき、経時変化にも対応できる受信機を提供する。【解決手段】本発明の受信機は、位相偏差による各受信処理系統の利得対位相回転量を変更するような場合には、電界強度に応じての利得対位相回転量の補正を一時中断し、各受信処理系統の出力に関して、位相偏差検出部Ｓ０が電界強度毎に位相偏差を検出し、それを位相テーブル更新部Ｔ０が位相制御テーブルＱ１〜ＱＮに記憶する。利得対位相回転の制御を開始する場合には、位相制御テーブルＱ１〜ＱＮから各受信処理系統の位相偏差が電界強度に対応して読み出され、位相補正部Ｒ１〜ＲＮに通知される。位相補正部Ｒ１〜ＲＮは、ＩＦ信号処理部Ｄ１〜ＤＮによって出力レベル一定にされた各受信処理系統の出力に位相補正を行い、出力レベル一定および出力の位相偏差の少ない出力を得る。【選択図】        図２
2005033237.tif 000002
【特許請求の範囲】
【請求項１】
複数のアンテナにそれぞれ接続された受信処理系統を介して信号を受信し、各アンテナが受信した信号の電界強度を検出し、各受信処理系統の受信信号が一定のレベルで出力されるように自動利得制御を行って増幅し、増幅した各受信信号にそれぞれデジタル信号処理を加える受信機において、
通知される位相偏差を無くするように、各受信処理系統の利得対位相回転量を補正する位相補正手段と、
利得対位相回転量の補正を行わない場合の各受信処理系統の出力の位相偏差を電界強度毎に検出し、位相偏差更新指示を行う位相偏差検出更新手段と、
前記位相偏差検出更新手段から位相偏差更新指示を受けると、前記位相偏差検出更新手段が検出した位相偏差を記憶し、各受信処理系統の利得対位相回転量の補正を行う場合には、電界強度に応じて各受信処理系統の位相偏差を前記位相補正手段に通知する位相偏差記憶通知手段とを有することを特徴とする受信機。
【請求項２】
前記位相補正手段は、各受信処理系統のＲＦ信号処理部に設けられている請求項１記載の受信機。
【請求項３】
前記位相補正量は、デジタル処理によって決定される請求項１記載の受信機。
【発明の詳細な説明】
【０００１】
【発明の属する技術分野】
本発明は受信機に関し、特に、複数のアンテナにそれぞれ接続された受信処理系統を介して信号を受信し、各アンテナが受信した信号の電界強度を検出し、各受信処理系統の受信信号が一定のレベルで出力されるように自動利得制御を行って増幅し、増幅した各受信信号にそれぞれデジタル信号処理を加える受信機にに関する。
【０００２】
【従来の技術】
図７は、この種の受信機の従来例を示すブロック図である。この受信機２００は、複数のアンテナＡ１〜ＡＮのそれぞれに対応する受信処理系統を有している。すなわち、アンテナＡ１〜ＡＮを介して受信された入力信号は、ＲＦ信号処理部Ｂ１〜ＢＮにおいて受信帯域内の信号のみが選択増幅される。周波数変換部Ｃ１〜ＣＮは、局部発振器Ｇ０の出力によってＲＦ信号処理部Ｂ１〜ＢＮの出力信号を周波数変換し、第１のＩＦ周波数の信号に変換する。それぞれがフィードフォワードの自動利得制御が行われる可変利得増幅器を備えたＩＦ信号処理部Ｄ１〜ＤＮは、第１のＩＦ周波数の信号に変換された信号を周波数変換部Ｃ１〜ＣＮから受け取り、帯域制限を行って受信電界検出部Ｊ１〜ＪＮに引き渡すとともに、Ｄ／Ａ変換器Ｌ１〜ＬＮからの制御信号で調整した利得を有する可変利得増幅器を用いて、帯域制限を行った信号を増幅して周波数変換部Ｅ１〜ＥＮにそれぞれ引き渡す。
【０００３】
受信電界検出部Ｊ１〜ＪＮは、帯域制限された第１のＩＦ周波数の信号をＩＦ信号処理部Ｄ１〜ＤＮから受け取り、その信号から受信入力レベルに対応する電界強度を検出して電界強度検出電圧として出力する。Ａ／Ｄ変換器Ｋ１〜ＫＮは、受信電界検出部Ｊ１〜ＪＮが検出した電界強度検出電圧をＡ／Ｄ変換してデジタル信号処理部ＤＰＱに引き渡す。周波数変換部Ｅ１〜ＥＮは、ＩＦ信号処理部Ｄ１〜ＤＮの可変利得増幅器からそれぞれ受け取った信号を局部発振器Ｈ０の出力によって第２のＩＦ周波数（ＢＢ周波数）の信号に変換する。Ａ／Ｄ変換器Ｆ１〜ＦＮは、周波数変換部Ｅ１〜ＥＮからそれぞれ受け取った第２のＩＦ周波数に変換された信号をＡ／Ｄ変換してデジタル信号処理部ＤＰＱに引き渡す。
【０００４】
デジタル信号処理部ＤＰＱは、Ａ／Ｄ変換器Ｋ１〜ＫＮのそれぞれから電界強度検出電圧を受け取り、受け取った電界強度検出電圧に対応する利得制御電圧（ＡＧＣ制御電圧）を利得制御テーブルＰ１〜ＰＮから読み出し、読み出した利得制御電圧をＤ／Ａ変換器Ｌ１〜ＬＮに渡してＤ／Ａ変換させ、ＩＦ信号処理部Ｄ１〜ＤＮに与える。ＩＦ信号処理部Ｄ１〜ＤＮは、与えられた利得制御電圧に基づいてそれぞれが具備する可変利得増幅器の利得を調整する。さらに、デジタル信号処理部ＤＰＱは、Ａ／Ｄ変換器Ｆ１〜ＦＮから受け取った出力を用いて受信信号の復調および解析を行う。
【０００５】
このような構成の受信機におけるＩＦ信号処理部Ｄ１〜ＤＮに配置された可変利得増幅器の利得制御電圧に対する利得および位相に関する特性を調べてみると、図８のように示される。すなわち、ＡＧＣ制御電圧の変化に対して、利得は直線的に変化するが、位相はランダムに変化している。また、図８で示される受信機の受信入力レベルに対する受信機の出力レベルおよび出力位相偏差に関する特性を調べてみると、図９のように示される。すなわち、自動制御により出力レベルは一定であるが出力位相偏差はランダムに変化している。なお、上述の図９の状態を電界強度検出電圧および利得制御電圧とともに数値で表すと、図１０のテーブルのようになる。
【０００６】
【発明が解決しようとする課題】
上述の受信機においては、受信入力レベルに対応してＡ／Ｄ変換器Ｆ１〜ＦＮに入力される信号のレベルは、一定になるように制御されるが、受信入力レベルに対応する位相偏差については、ランダムな性能となる。他方、実際のサービスエリアにおける電波状態は、受信入力レベルの変動に伴って図９のように位相偏差を生じさせる。ところで、アダプティブアレイアンテナは、デジタルデバイスの急速な発展に伴い、デジタル信号処理によって指向性を制御する方法が主流になっている。この場合、アンテナの本数分の受信処理系統を構成するアナログ信号処理回路とＡ／Ｄ変換器とが必要であって、アナログ信号処理回路の個体差による位相特性のばらつきが非常に大きくなる。
【０００７】
上述のようにアダプティブアレイアンテナを用いる受信機に関し、各受信処理系統のアナログ信号処理回路の間において、位相特性のばらつきが大きいと、各受信処理系統の出力を同位相で合成できなくなり、アダプティブアレイアンテナを用いた受信機の機能が良好に実現できず、受信感度の低下などを引き起こす。そこで、これを解決するために提案されたものとして特開２００２−１７６３８４号公報（公報の図１を参照）に開示された発明の“受信機”があるが、回路構成が複雑で、経時変化に対応することがなされていない。
【０００８】
本発明は、上記の問題を解決するためになされたものであって、簡単な回路構成によって受信機の各受信処理系統の出力レベルおよび出力の位相偏差を少なくして、アダプティブアレイアンテナを用いた受信機の受信感度を良好にたもち、経時変化に対応することもができる受信機を提供することを目的とする。
【０００９】
【課題を解決するための手段】
前述した課題を解決するために、本発明は、複数のアンテナにそれぞれ接続された受信処理系統を介して信号を受信し、各アンテナが受信した信号の電界強度を検出し、各受信処理系統の受信信号が一定のレベルで出力されるように自動利得制御を行って増幅し、増幅した各受信信号にそれぞれデジタル信号処理を加える受信機において、通知される位相偏差を無くするように、各受信処理系統の利得対位相回転量を補正する位相補正手段と、利得対位相回転量の補正を行わない場合の各受信処理系統の出力の位相偏差を電界強度毎に検出し、位相偏差更新指示を行う位相偏差検出更新手段と、前記位相偏差検出更新手段から位相偏差更新指示を受けると、前記位相偏差検出更新手段が検出した位相偏差を記憶し、各受信処理系統の利得対位相回転量の補正を行う場合には、電界強度に応じて各受信処理系統の位相偏差を前記位相補正手段に通知する位相偏差記憶通知手段とを有する。
【００１０】
このような構成によれば、位相偏差による各受信処理系統の利得対位相回転量を変更するような場合には、利得対位相回転量の補正を一時中断し、各受信処理系統の出力に関して、位相偏差検出手段が電界強度毎に位相偏差を検出し、それを位相偏差記憶通知手段が記憶する。利得対位相回転の制御を開始する場合には、相偏差記憶通知手段が記憶した各受信処理系統の位相偏差を電界強度に対応して読み出し、位相補正手段に通知する。
【００１１】
また、本発明において、前記位相補正手段は、各受信処理系統のＲＦ信号処理部に設けられ、前記位相補正量は、デジタル処理によって決定されるのが好ましい。
【００１２】
さらには、本発明を次のように構成してもよい。すなわち、複数のアンテナにそれぞれ接続された受信処理系統を介して信号を受信し、各アンテナが受信した信号の電界強度を検出し、各受信処理系統の受信信号が一定のレベルで出力されるように自動利得制御を行って増幅し、増幅した各受信信号にそれぞれデジタル信号処理を加える受信機において、増幅した各受信信号に発生する位相偏差を各アンテナが受信する信号の電界強度に対応して記憶している位相制御テーブルと、検出された各受信処理系統の電界強度に基づき、その電界強度に対応する位相偏差を位相制御テーブルから読み出し、読み出した位相偏差を無くするように、増幅された受信信号に位相補正を行う位相補正部と、更新モードが指示されると、更新モードを設定して位相制御テーブルと位相補正部との位相補正機能を停止させ、更新モード解除が指示されると、位相制御テーブルと位相補正部との位相補正機能を再稼働させる更新モード設定部と、更新モードが設定されたときは、各受信処理系統について、増幅した各受信信号に発生する位相偏差を各アンテナが受信する信号の電界強度に対応して検出する位相偏差検出部と、位相偏差検出部が検出した位相偏差を位相制御テーブルに書き込む位相テーブル更新部とを有する。
【００１３】
【発明の実施の形態】
以下、本発明の実施の形態について添付図面に基づいて説明する。図１は、本発明の受信機であって、アダプティブアレイアンテナを用いた受信機の第１の実施の形態を示すブロック図、図２は、本発明の受信機の第２の実施の形態を示すブロック図、図３は、本発明の受信機の第３の実施の形態を示すブロック図、図４は、図３の受信機のＲＦ信号処理部に含まれる位相調整器の特性を示すグラフ、図５は、図３の受信機に用いられている位相制御テーブルを説明するための図、図６は、本発明の受信機の第４の実施の形態を示すブロック図である。
【００１４】
（第１の実施の形態）
図１の受信機１０１は、複数のアンテナＡ１〜ＡＮと、ＲＦ信号処理部Ｂ１〜ＢＮと、周波数変換部Ｃ１〜ＣＮと、ＩＦ信号処理部Ｄ１〜ＤＮと、周波数変換部Ｅ１〜ＥＮと、Ａ／Ｄ変換器Ｆ１〜ＦＮと、局部発振器Ｇ０と、受信電界検出部Ｊ１〜ＪＮと、Ａ／Ｄ変換器Ｋ１〜ＫＮと、Ｄ／Ａ変換器Ｌ１〜ＬＮと、局部発振器Ｈ０と、デジタル信号処理部ＤＡとを有する。さらに、デジタル信号処理部ＤＡは、利得制御テーブルＰ１〜ＰＮと、位相制御テーブルＱ１〜ＱＮと、位相制補正部Ｒ１〜ＲＮとを有する。この場合、アダプティブアレイアンテナの複数のアンテナ毎に配置された受信処理系列のＩＦ信号処理部に含まれる可変利得増幅器により受信レベルを一定に保つ。しかし、位相回転量は、受信処理系列毎に異なる。そこで、図１の受信機１０１においては、各受信処理系統の位相回転量を示す位相偏差のテーブルを位相制御テーブルとして用意し、各受信処理系列の位相偏差を無くそうとするものである。以下に詳しく説明する。
【００１５】
アンテナＡ１〜ＡＮを介して受信された信号は、ＲＦ信号処理部Ｂ１〜ＢＮにおいて受信帯域内の信号のみが選択され、増幅される。周波数変換部Ｃ１〜ＣＮは、局部発振器Ｇ０の出力によってＲＦ信号処理部Ｂ１〜ＢＮの出力信号を周波数変換し、第１のＩＦ周波数の信号に変換する。ＩＦ信号処理部Ｄ１〜ＤＮは、Ｄ／Ａ変換器Ｌ１〜ＬＮからの利得制御電圧に基づき、フィードフォワードの自動利得制御がそれぞれ行われる可変利得増幅器を備えている。ＩＦ信号処理部Ｄ１〜ＤＮは、第１のＩＦ周波数の信号に変換された信号を周波数変換部Ｃ１〜ＣＮから受け取り、帯域制限を行って受信電界検出部Ｊ１〜ＪＮに引き渡すとともに、Ｄ／Ａ変換器Ｌ１〜ＬＮからの利得制御電圧で調整した利得を有する可変利得増幅器を用いて、帯域制限を行った信号を増幅して周波数変換部Ｅ１〜ＥＮにそれぞれ引き渡す。
【００１６】
受信電界検出部Ｊ１〜ＪＮは、第１のＩＦ周波数に変換された信号をＩＦ信号処理部Ｄ１〜ＤＮから受け取り、受け取ったその信号から受信入力レベルに対応する電界強度検出電圧を検出する。Ａ／Ｄ変換器Ｋ１〜ＫＮは、受信電界検出部Ｊ１〜ＪＮが検出した電界強度検出電圧をＡ／Ｄ変換してデジタル信号処理部ＤＰＡに引き渡す。周波数変換部Ｅ１〜ＥＮは、ＩＦ信号処理部Ｄ１〜ＤＮの可変利得増幅器からそれぞれ受け取った信号を局部発振器Ｈ０の出力によって第２のＩＦ周波数（ＢＢ周波数）の信号に変換する。Ａ／Ｄ変換器Ｆ１〜ＦＮは、周波数変換部Ｅ１〜ＥＮからそれぞれ受け取った第２のＩＦ周波数に変換された信号をＡ／Ｄ変換してデジタル信号処理部ＤＰＡに引き渡す。
【００１７】
デジタル信号処理部ＤＰＡは、Ａ／Ｄ変換器Ｆ１〜ＦＮの出力を位相補正部Ｒ１〜ＲＮを介して受け取る。また、デジタル信号処理部ＤＰＡは、Ａ／Ｄ変換器Ｋ１〜ＫＮのそれぞれからデジタル化された電界強度検出電圧を受け取り、受け取った電界強度検出電圧に対応する利得制御電圧を利得制御テーブルＰ１〜ＰＮ（図２参照）から読み出す。デジタル信号処理部ＤＰＡは、利得制御テーブルＰ１〜ＰＮから読み出した利得制御電圧をＤ／Ａ変換器Ｌ１〜ＬＮに渡してＤ／Ａ変換させ、ＩＦ信号処理部Ｄ１〜ＤＮの可変利得増幅器に与える。ＩＦ信号処理部Ｄ１〜ＤＮは、既に説明したように、与えられた利得制御電圧に基づいてそれぞれが具備する可変利得増幅器の利得を調整する。
【００１８】
さらに、デジタル信号処理部ＤＰＡは、Ａ／Ｄ変換器Ｋ１〜ＫＮのそれぞれから受け取った電界強度検出電圧に対応する位相偏差を位相制御テーブルＱ１〜ＱＮからそれぞれ読み出し、読み出した位相偏差を位相補正部Ｒ１〜ＲＮに与える。図２は、アンテナＡ１〜ＡＮの何れかに接続された受信処理系統の一つについて回路特性を示している。すなわち、受信入力レベルのそれぞれに対応する電界強度検出電圧と、利得制御電圧と、出力の位相偏差とを示している。位相補正部Ｒ１〜ＲＮは、Ａ／Ｄ変換器Ｆ１〜ＦＮから受け取った信号に対し、位相制御テーブルから与えられた位相偏差を無くすように位相補正を行う。したがって、位相補正部の出力信号は、出力レベルが一定で位相偏差が無いものとなる。
【００１９】
より具体的な例として、図２を参照して説明する。受信入力レベルが−９０ｄＢｍの場合には、出力位相を一定値に保つために位相補正部Ｒ１に与える位相偏差の値は“７．７度”とする。この場合、実際のアダプティブアレイ方式においては、アンテナが複数本使用することとなるために、各アンテナに接続された受信系統毎に図２に示されたテーブルを記憶部に予め用意することとなる。また、素子間位相制御は、例えば、ユニークワードなどのプリアンブル部などの既知の受信パターンとの複素相関をとることにより、各アンテナの受信信号の相対的位相差を検出できる。この位相差を無くすように受信入力レベルをアドレスとして位相制御テーブル値を設定あるいは変更する。これらの設定変更は、デジタル信号処理部に外部機器を接続して行うことができる。
【００２０】
（第２の実施の形態）
図１で示した受信機も時間経過や環境の影響を受けて特性の変動を起こすことがある。そこで、これらの影響を受けても特性を最適なものに自動的に復帰させることができる第２の実施の形態である受信機について図３を参照して説明する。図３の受信機１０２と、図１の受信機１０１とを比較すると、デジタル信号処理部ＤＰＢは、デジタル信号処理部ＤＰＡに位相偏差検出部Ｓ０と位相テーブル更新部Ｔ０とを追加した構成となっている点が相違している。図３の受信機１０２の場合、“更新モード”を設定すると、位相制御テーブルＱ１〜ＱＮからのデータに基づく位相補正部Ｒ１〜ＲＮによる位相補正は停止され、位相偏差検出部Ｓ０および位相テーブル更新部Ｔ０による位相制御テーブルＱ１〜ＱＮへのデータ書き換えが行われる。
【００２１】
上述の位相制御テーブルＱ１〜ＱＮへのデータ書き換えの場合、標準信号発生器からの信号をアンテナＡ１〜ＡＮに与え、アンテナＡ１〜ＡＮに接続された各受信処理系統の位相偏差を位相偏差検出部Ｓ０が検出する。この場合、キャリブレーション用送信機などから既知のパターンを有する信号を各受信処理系統に入力し位相誤差を検出する。その検出結果に基づいて、位相テーブル更新部Ｔ０が受信処理系統毎に位相制御テーブルＱ１〜ＱＮの内容を書き換える。その書き換えは、例えば、下記の式に従って行う。
Ｐ（Ｒ）＝Ｐ（Ｒ）＋ＰＥ＊μ
但し、Ｐは位相制御値、Ｒは現時点の受信レベル、ＰＥは位相誤差、μは重み付け係数（≦１）
【００２２】
“更新モード”の設定が解除されると、受信機１０２のデジタル信号処理部ＤＰＢの位相偏差検出部Ｓ０および位相テーブル更新部Ｔ０の機能は停止され、受信機１０２は、図１の受信機１０１の機能と同様な機能を実行する。すなわち、デジタル信号処理部ＤＰＢが受信処理系統毎の電界強度検出電圧に対応して位相制御テーブルＱ１〜ＱＮの位相偏差を読み出し、位相補正部Ｒ１〜ＲＮは、Ａ／Ｄ変換器Ｆ１〜ＦＮから受け取った信号に対し、位相制御テーブルから与えられた位相偏差を無くすように位相補正を行う。
【００２３】
（第３の実施の形態）
図３は、本発明の受信機の第３の実施の形態を示すブロック図である。この受信機１０３は、図１の受信機と比較すると、次の点が異なる。すなわち、ＲＦ信号処理部Ｂ１〜ＢＮと、デジタル信号処理部ＤＰＡとの代わりに、位相調整器を含むＲＦ信号処理部ＢＢ１〜ＢＢＮと、デジタル信号処理部ＤＰＣと、Ｄ／Ａ変換器Ｍ１〜ＭＮとを用いている。ＲＦ信号処理部ＢＢ１〜ＢＢＮは、受信帯域内の信号を選択増幅し、Ｄ／Ａ変換器Ｍ１〜ＭＮを介してデジタル信号処理部ＤＰＣから与えられる制御信号に基づいて、選択増幅した信号に位相調整を行った上で周波数変換部Ｃ１〜ＣＮに出力する。
【００２４】
ＲＦ信号処理部ＢＢ１〜ＢＢＮの位相調整器は、位相制御電圧に対して図４に示されるような特性を有しており、位相制御テーブルＱ１〜ＱＮには図５に示すようなデータが格納されている。この場合、図５のデータは、位相制御テーブルＱ１〜ＱＮのうちのいずれかの１例を示すものであって、位相制御テーブルＱ１〜ＱＮのそれぞれには、アンテナＡ１〜ＡＮに接続されたそれぞれの受信処理系統に対応するデータが格納されている。したがって、アンテナＡ１〜ＡＮにおける受信入力レベルに対応する電界強度検出電圧が受信電界検出部Ｊ１〜ＪＮおよびＡ／Ｄ変換器Ｋ１〜ＫＮを介してデジタル信号処理部ＤＰＣに与えられる。デジタル信号処理部ＤＰＣは、与えられた電界強度検出電圧をアドレスとして位相制御テーブルＱ１〜ＱＮを検索し、与えられた電界強度検出電圧に対応する位相制御電圧を読み出し、Ｄ／Ａ変換器Ｍ１〜ＭＮを介してＲＦ信号処理部ＢＢ１〜ＢＢＮの位相調整器に引き渡す。したがって、Ａ／Ｄ変換器Ｆ１〜ＦＮからデジタル信号処理部ＤＰＣに与えられる出力は、レベルが一定で位相偏差の無いものとなる。
【００２５】
（第４の実施の形態）
図３で示した受信機も時間経過や環境の影響を受けて特性の変動を起こすことがある。そこで、これらの影響を受けても特性を最適なものに自動的に復帰させることができる第４の実施の形態である受信機について図６を参照して説明する。図６の受信機１０４と、図３の受信機１０３とを比較すると、デジタル信号処理部ＤＰＤは、デジタル信号処理部ＤＰＣに位相偏差検出部Ｓ０と位相テーブル更新部Ｔ０とを追加した構成となっている点が相違している。図６の受信機１０４の場合、“更新モード”を設定すると、位相制御テーブルＱ１〜ＱＮからのデータに基づくＲＦ処理部ＢＢ１〜ＢＢＮの位相調整器による位相補正は停止され、位相偏差検出部Ｓ０および位相テーブル更新部Ｔ０による位相制御テーブルＱ１〜ＱＮへのデータ書き換えが行われる。
【００２６】
上述の位相制御テーブルＱ１〜ＱＮへのデータ書き換えの場合、標準信号発生器からの信号をアンテナＡ１〜ＡＮに与え、アンテナＡ１〜ＡＮに接続された各受信処理系統の位相偏差をデジタル信号処理部ＤＰＤにおいて位相偏差検出部Ｓ０が検出し、その検出結果に基づいて、位相テーブル更新部Ｔ０が受信処理系統毎に位相制御テーブルＱ１〜ＱＮの内容を書き換える。“更新モード”の設定が解除されると、受信機１０４のデジタル信号処理部ＤＰＤの位相偏差検出部Ｓ０および位相テーブル更新部Ｔ０の機能は停止され、受信機１０４は、図３の受信機１０３の機能と同様な機能を実行する。すなわち、デジタル信号処理部ＤＰＤが受信処理系統毎の電界強度検出電圧に基づいて、位相制御テーブルＱ１〜ＱＮの位相制御電圧を読み出し、Ｄ／Ａ変換器Ｍ１〜ＭＮを介してＲＦ信号処理部ＢＢ１〜ＢＢＮの位相調整器に出力する。そこで、ＲＦ信号処理部ＢＢ１〜ＢＢＮの位相調整器は、受信信号が出力されるときに位相偏差が発生しないように制御する。
【００２７】
【発明の効果】
本発明の受信機は、以上において説明したように構成されているので、位相偏差による各受信処理系統の利得対位相回転量を変更するような場合には、電界強度に応じての利得対位相回転量の補正を一時中断し、各受信処理系統の出力に関して、位相偏差検出手段が電界強度毎に位相偏差を検出し、それを位相偏差記憶通知手段が記憶する。利得対位相回転の制御を開始する場合には、相偏差記憶通知手段が記憶した各受信処理系統の位相偏差を電界強度に対応して読み出し、位相補正手段に通知する。したがって、簡単な回路構成によって受信機の各受信処理系統の出力レベルおよび出力の位相偏差を少なくして、アダプティブアレイアンテナを用いた受信機の受信感度を良好にたもち、経時変化に対応することもできる。
【図面の簡単な説明】
【図１】本発明の受信機であって、アダプティブアレイアンテナを用いた受信機の第１の実施の形態を示すブロック図である。
【図２】本発明の受信機の第２の実施の形態を示すブロック図である。
【図３】本発明の受信機の第３の実施の形態を示すブロック図である。
【図４】図３の受信機のＲＦ信号処理部に含まれる位相調整器の特性を示すグラフである。
【図５】図３の受信機に用いられている位相制御テーブルを説明するための図である。
【図６】本発明の受信機の第４の実施の形態を示すブロック図である。
【図７】受信機の従来例を示すブロック図である。
【図８】図７のＩＦ信号処理部に配置された可変利得増幅器の利得制御電圧に対する利得および位相に関する特性を示すグラフである。
【図９】図８で示される受信機の受信入力レベルに対する出力レベルおよび出力位相偏差に関する特性を示すグラフである。
【図１０】図９の状態を電界強度検出電圧および利得制御電圧とともに数値で表したテーブルを示す図である。
【符号の説明】
Ａ１〜ＡＮ  アンテナ、Ｂ１〜ＢＮ，ＢＢ１〜ＢＢＮ，ＲＦ信号処理部、Ｃ１〜ＣＮ，Ｅ１〜ＥＮ  周波数変換部、Ｄ１〜ＤＮ  ＩＦ信号処理部、Ｆ１〜ＦＮ，Ｋ１〜ＫＮ  Ａ／Ｄ変換器、Ｇ０，Ｈ０  局部発振器、Ｊ１〜ＪＮ  受信電界検出部、Ｌ１〜ＬＮ  Ｄ／Ａ変換器、Ｐ１〜ＰＮ  利得制御テーブル、Ｑ１〜ＱＮ  位相制御テーブル、Ｒ１〜ＲＮ  位相補正部、Ｓ０  位相偏差検出部、Ｔ０位相テーブル更新部、ＤＰＡ，ＤＰＢ，ＤＰＣ，ＤＰＤ  デジタル信号処理部、１０１，１０２，１０３，１０４  受信機。
【図１】
2005033237.tif 000003
【図２】
2005033237.tif 000004
【図３】
2005033237.tif 000005
【図４】
2005033237.tif 000006
【図５】
2005033237.tif 000007
【図６】
2005033237.tif 000008
【図７】
2005033237.tif 000009
【図８】
2005033237.tif 000010
【図９】
2005033237.tif 000011
【図１０】
2005033237.tif 000012